(57)【要約】【課題】本考案は、船釣りにおいて、岩場等による根がかりをできるだけ少なくし、また根がかりが発生しても容易に外れるようにするとともに、道糸と岩とが接触して摩擦によって糸が切れないような船釣り用錘を提供することを目的とする。【解決手段】上下同じ太さの金属棒からなる船釣り用錘であって、金属棒の上端付近と、下端付近にそれぞれ横方向に糸を通す通し穴を設け、通し穴の開口部から金属棒の上端又は下端に向って糸を収納できる溝を設けたことを特徴とする船釣り用錘である。上端の通し穴には、道糸と連結するための糸を通し、下端の通し穴には継足し用錘を連結するための糸を通すようにする。【選択図】図１
0003116535.tif 000002
【実用新案登録請求の範囲】
【請求項１】
上下同じ太さの細長い金属棒からなる船釣り用錘であって、金属棒の上端付近と、下端付近にそれぞれ横方向に糸を通す通し穴を貫通させてなることを特徴とする船釣り用錘。
【請求項２】
それぞれの通し穴の開口部から、金属棒の上端又は下端に向って糸を収納できる溝を設けたことを特徴とする請求項１記載の船釣り用錘。
【請求項３】
金属棒の先端付近に設けた通し穴は、道糸と錘を接続するための糸を通すことができ、金属棒の下端付近に設けた通し穴に通した糸で、錘と継足し用錘とを連結できるようになっていることを特徴とする請求項１又は請求項２記載の船釣り用錘。
【考案の詳細な説明】
【技術分野】
【０００１】
本考案は、船釣りにおいて、潮流の影響，海底の岩場，海藻の自生等によって発生する根がかりを減少させ、より効果的に魚釣りの成果を高めることを目的とする船釣り用錘に関するものである。
【背景技術】
【０００２】
従来の船釣り用錘は、釣り鐘状若しくは上部より下部が若干大きな形状の鉛製のものが主流である。これらの錘は、海底の根がかりが多いこと、及び岩や海藻，網等に根がかりした場合、外れにくいこと、潮流の影響を受けて落下角度が変動しやすく、目標とする海底ポイントに大きな「ずれ」を生じやすいという問題があった。また、手釣り愛好者が船上で魚を暴れさせた場合、錘と糸が混合して、もつれることが多いなどの問題があった。
【０００３】
また、棒状の錘としては、棒状錘の中央部付近に道糸を通す穴を設けたものが出願されている（例えば、特許文献１参照。）。この発明では、錘の先端が岩に引っかかっても、道糸を引く事で錘が反転して外れるという特徴がある。しかし、道糸を引くとき、道糸と岩との摩擦で道糸が切れるというおそれがある。
【０００４】
また、ワンタッチパイプ胴付棒錘が出願されている（例えば、特許文献２参照。）。この発明は、棒状の金属の先端に、弾力性の強いパイプを取り付けたものである。本品は、パイプに仕掛けの先端を通し、棒状の金属に差込むだけで装着でき、万一、錘が根がかりして抜けないときは、釣り糸をゆっくり強く引けば、仕掛けの先端がパイプから抜け、仕掛けは無傷で回収でき、ワンタッチで錘だけ付替えれば、速やかに釣りが再開できるという特徴がある。
しかし、仕掛けの差込がきつすぎると、釣り糸を強く引いたとき釣り糸が切れるおそれがあり、差込がゆるすぎると、わずかな力が加わっても容易に仕掛けが錘から外れるというおそれがあった。
【０００５】
【特許文献１】特開２００３−２１００８９号公報
【特許文献２】特開平１１−３２６３９号公報
【考案の開示】
【考案が解決しようとする課題】
【０００６】
本考案は、船釣りにおいて、岩場等による根がかりをできるだけ少なくし、また根がかりが発生しても容易に外れるようにするとともに、道糸と岩とが接触して摩擦によって糸が切れないような船釣り用錘を提供することを目的とする。
【課題を解決するための手段】
【０００７】
（１）本考案の第１は、上下同じ太さの金属棒からなる船釣り用錘であって、金属棒の上端付近と、下端付近にそれぞれ横方向に糸を通す通し穴を貫通させてなることを特徴とする船釣り用錘である。
金属棒の上端付近の通し穴は道糸と接続する糸を通すためのものであり、下端付近の通し穴は継足し用錘を連結するための糸を通すためのものである。
【０００８】
（２）本発明の第２は、それぞれの通し穴の開口部から、金属棒の上端又は下端に向って糸を収納できる溝を設けたことを特徴とする請求項１記載の船釣り用錘である。錘と道糸又は錘と継足し用の錘とを連結する糸を溝の中に収納し、錘の表面に露出しないようにして、万一、根がかりしても糸が岩と接触して摩擦により切れないようにするためである。
【０００９】
（３）本発明の第３は、金属棒の先端付近に設けた通し穴は、道糸と錘を接続するための糸を通すことができ、金属棒の下端付近に設けた通し穴に通した糸で、錘と継足し用錘とを連結できるようになっていることを特徴とする請求項１又は請求項２記載の船釣り用錘である。錘１個では重量が不足の場合、このようにして継足し用錘を１個又は複数個接続できるようになっている。
【考案の効果】
【００１０】
本考案の船釣り用錘は、棒状であるため、潮流の抵抗が少なく、そのため落下角度の変動が少なく、落下速度が速いという特徴がある。また棒状であるため先端が岩穴や石の隙間に入ったときでも、先端から末端まで同じ太さであることから、そのまま通り抜け、もし先端が根がかりしても糸を緩めれば重力で下に落ちて抜けやすいという効果がある。特許文献１及び特許文献２記載の発明では、錘が根がかりした場合、糸を引いて錘を外すという方法がとられているが、本考案では、根がかりしたとき糸を緩めることで錘を外すという逆の発想に基づいている。このことは、糸と岩の摩擦により、糸が切れることを防止する上で大きな効果がある。
【００１１】
また、錘に設けられた通し穴と、この通し穴に接続する溝によって、道糸と錘を連結する糸が錘の表面に露出しないため岩との摩擦で糸が切れることは確実に防止できる。
【００１２】
錘と継足し用錘を接続する手段を設けたことで、状況に応じて錘の重量を加減でき、釣りの状況に応じて適切な条件を設定することができる。
【考案を実施するための最良の形態】
【００１３】
本考案を実施するための最良の形態について図に基づいて説明する。
図１（Ａ）は、本考案の船釣り用錘の縦断面図である。錘本体１の上端付近と、下端付近に糸を通すための通し穴２，２が設けられている。通し穴２，２の開口部から上端及び下端に向って金属棒の本体１の側面に溝３，３が掘り込まれている。
【００１４】
錘本体１の両端の稜角１ａは多少の丸みを付ける。稜角が岩場等に当って擦れる時、すべりやすくするためである。
【００１５】
図１（Ｂ）は、錘本体１の上下端部側面図で，２は通し穴，３は溝である。
図１（Ｃ）は、錘本体１の上下端平面図である。
【００１６】
図２は、本考案の船釣り用錘をサルカン５を介して道糸６に連結した状態の縦断面図である。継ぎ糸４は、サルカン５と錘本体１とを連結するためのものである。
【００１７】
図３は、船釣り用錘に継足し用錘１Ａを連結した状態を示す縦断面図である。
継足し用錘１Ａは、錘本体１とほぼ同じ構造であるが長さがやや短くなっている。しかし、この長さは必要に応じて変化させることができる。錘本体１，継足し用錘１Ａは比較的比重の大きい金属（例えば銅，黄銅，鉛等）を用い、腐食しやすい金属は表面にメッキを施すなどの処理を行うと良い。
【００１８】
図４は、本考案の船釣り用錘と岩場との関係を示した説明図である。
図４（ａ）は、本考案の船釣り用錘の錘本体１と岩９との関係を示している。
岩９に凹凸があっても細長い錘本体１は、岩９の表面に喰込むことなく、表面を滑って行くことになる。
図４（ｂ）は岩９と岩９の隙間に、錘本体１が入り込んでもそのまま落下して根がかりが発生しない様子が表わされている。
【図面の簡単な説明】
【００１９】
【図１】（Ａ）は、本考案の船釣り用錘の縦断面図である。（Ｂ）は、錘本体１の上下端部側面図である。（Ｃ）は、錘本体１の上下端平面図である。
【図２】本考案の船釣り用錘をサルカン５を介して道糸６に連結した状態の縦断面図である。
【図３】本考案の船釣り用錘に継足し用錘１Ａを連結した状態を示す縦断面図である。
【図４】（ａ），（ｂ）は、本考案の船釣り用錘と岩場との関係を示す説明図である。
【符号の説明】
【００２０】
１  錘本体
１Ａ  継足し用錘
１ａ  稜角
２  通し穴
３  溝
４，８  継ぎ糸
５，７  サルカン
６  道糸
９  岩
【図１】
0003116535.tif 000003
【図２】
0003116535.tif 000004
【図３】
0003116535.tif 000005
【図４】
0003116535.tif 000006